(57)【要約】【課題】大型化を防ぎながら、充電端子の設置位置の自由度を上げた外観のよい電子機器を得る。【解決手段】筐体を構成する背面側キャビネット４の表面及び裏面に回路パターン１１を形成し、筐体から一部が露出する板金１４を回路パターン１１に電気的に接続し、筐体の内部に内蔵した充電池６に電気的に接続する。【選択図】図１
2015053647.tif 000002
【特許請求の範囲】
【請求項１】
筐体の内部に内蔵した充電池に電気的に接続される充電端子を有する電子機器において、
上記充電端子は、
上記筐体を構成するキャビネットの表面及び裏面に形成された回路パターンと、
上記回路パターンに電気的に接続され、上記筐体から一部が露出する板金とを有する
ことを特徴とする電子機器。
【請求項２】
請求項１に記載の電子機器において、
上記回路パターンは、上記キャビネットに形成した貫通孔内面を通って該キャビネットの裏面に連続し、
上記貫通孔は、封止部材で封止されて防水されている
ことを特徴とする電子機器。
【請求項３】
請求項２に記載の電子機器において、
上記貫通孔は複数設けられ、上記キャビネットの裏面の回路パターンが、上記充電池又は上記筐体に内蔵された回路基板に電気的に接続されている
ことを特徴とする電子機器。
【請求項４】
請求項１〜３のいずれか１つに記載の電子機器において、
上記板金は、弾性を有するクリップ形状であり、上記回路パターンに当接するように上記キャビネットを挟持している
ことを特徴とする電子機器。
【請求項５】
請求項１〜３のいずれか１つに記載の電子機器において、
上記板金は、上記キャビネットを覆うカバーに設けられ、該カバーで上記キャビネットを覆ったときに上記回路パターンに当接して電気的に接続される
ことを特徴とする電子機器。
【発明の詳細な説明】
【技術分野】
【０００１】
本発明は、筐体の内部に内蔵した充電池に電気的に接続される充電端子を有する電子機器に関するものである。
【背景技術】
【０００２】
従来より、一対の金属部材と、平板状に形成され、一対の金属部材がそれぞれ平板の両面から露出するように離間されて嵌め込まれた樹脂部材と、樹脂部材の外側面に嵌合されたリング状のゴム部材とを備えた充電端子ユニットが組み込まれた筐体を有する電子機器は知られている（例えば、特許文献１参照）。
【先行技術文献】
【特許文献】
【０００３】
【特許文献１】特開２００９−１４０８３４号公報
【発明の概要】
【発明が解決しようとする課題】
【０００４】
しかしながら、従来の電子機器では、樹脂成形品の充電端子部品に板金をインサート成形等で設けた上に、防水構造であればパッキンを設けなければならず、充電端子ユニット全体としてある程度の大きさを必要とする。このため、特に薄型化、表示部の狭額縁化、充電池の大型化を図る電子機器では、充電端子を設ける位置の制約がある。
【０００５】
また、樹脂成形品による防水構造は、成形時や組立時の不良によって防水性が低下するおそれがある。
【０００６】
本発明は、かかる点に鑑みてなされたものであり、その目的とするところは、大型化を防ぎながら、充電端子の設置位置の自由度を上げた外観のよい電子機器を得ることにある。
【課題を解決するための手段】
【０００７】
上記の目的を達成するために、この発明では、回路成形技術を利用してキャビネットの表面に充電端子の回路を直接形成するようにした。
【０００８】
具体的には、本発明では、筐体の内部に内蔵した充電池に電気的に接続される充電端子を有する電子機器を前提とし、
上記充電端子は、
上記筐体を構成するキャビネットの表面及び裏面に形成された回路パターンと、
上記回路パターンに電気的に接続され、上記筐体から一部が露出する板金とを有する。
【０００９】
上記の構成によると、筐体を構成するキャビネットの表面に直接回路パターンを形成するので、樹脂成形品などの別部品を必要とせず、また、回路自体のパターニングの自由度が高いので、充電端子を設ける箇所の自由度が高く、筐体の薄型化を図れる。さらに露出した板金に充電用のプラグ等を接触させればよいので、回路パターンが痛まず、また、板金部分だけを露出させればよいので、外観もよい。
【発明の効果】
【００１０】
以上説明したように、本発明によれば、筐体を構成するキャビネットの表面に回路パターンを形成し、この回路パターンに筐体から一部が露出する板金を電気的に接続したことにより、大型化を防ぎながら、充電端子の設置位置の自由度を上げた外観のよい電子機器を得ることができる。
【図面の簡単な説明】
【００１１】
【図１】図２のＩ−Ｉ部拡大断面図である。
【図２】携帯電話機を背面側から見た斜視図である。
【図３】携帯電話機の分解斜視図である。
【図４】充電端子構造を拡大して示し、（ａ）が背面側から見た斜視図であり、（ｂ）が正面側から見た斜視図である。
【図５】背面側キャビネットにおける充電端子構造を示す断面図である。
【図６】変形例を示す図１相当図である。
【発明を実施するための形態】
【００１２】
以下、本発明の実施形態を図面に基づいて説明する。
【００１３】
図１〜図３は本発明の実施形態の電子機器としての携帯電話機１を示し、この携帯電話機１は、正面側に表示部２を収容する正面側キャビネット３と、この正面側キャビネット３の背面側を覆う背面側キャビネット４とを有し、この背面側キャビネット４の背面がリアカバー５で覆われている。これら正面側キャビネット３、背面側キャビネット４及びリアカバー５が例えば樹脂成形品よりなり、携帯電話機１の筐体を構成する。正面側キャビネット３と背面側キャビネット４との間には、充電池６及び回路基板７が防水されるように収容されている。詳しくは図示しないが、例えば正面側キャビネット３と背面側キャビネット４との間は、矩形枠状のゴムパッキン８で防水されている。
【００１４】
そして、例えば携帯電話機１の左側面には、充電池６に電気的に接続される充電端子１０が配置されている。この充電端子１０は、背面側キャビネット４の表面及び裏面に形成された回路パターン１１を有する。この回路パターン１１は、メッキやＬＤＳ（Laser Direct Structuring）をはじめとした回路成形技術(ＭＩＤ：Molded Interconnect Device）や、印刷、ＩＭＤやＩＭＬ等のフィルム加飾技術等の回路パターン形成技術を用いて形成される。図４にも示すように、この回路パターン１１は、背面側キャビネット４の正面側（表面側）及び背面側（裏面側）に形成され、これら両面の回路パターン１１が複数の貫通孔１２の内面にも形成された回路パターン１１で連続している。図５に示すように、回路パターン１１形成後の貫通孔１２は、接着剤やＵＶ硬化樹脂よりなる封止部材１３で封止されて防水されている。この封止部材１３を導通性のある物質で構成してもよい。このように、貫通孔１２内面を利用して背面側キャビネット４の表面と裏面との間で導通を図りながら、この封止部材１３で封止することで防水が保たれるので、従来のように別部品の外周を防水するパッキンを用いた防水構造が不要となり、成形不良や組立不良による防水性低下を防止できると共に、省スペースを図ることができる。また、貫通孔１２の個数や内面の面積を調整することで、通過可能な電流量を容易に調整でき、貫通孔１２を介して内部の充電池６や回路基板７に適量の電流を流すことができる。なお、詳しくは図示しないが、回路パターン１１の他に背面側キャビネット４には、複数のアンテナ機能を有する回路パターンも設けられている。このため、本発明の回路パターン１１を他のアンテナ用パターンと同じ工程で設けることができる。
【００１５】
回路パターン１１は、正面側キャビネット３の露出用開口３ａから一部が露出する一対の板金１４に電気的に接続されている。この板金１４は、例えば金メッキされたステンレス鋼板などの導電性の高いバネ鋼板で構成されたクリップ形状であり、突起１４ａ及び折曲部１４ｂを有する。この折曲部１４ｂで背面側キャビネット４の周縁を挟み込むことで、この周縁に形成した回路パターン１１に当接している。このように、弾性を有する板金１４で回路パターン１１を確実に挟み込むことで、簡単な構造で接触圧を保ったまま導通の安定性を確保することができる。
【００１６】
回路基板７の背面側には、例えば導通用板バネ１５が設けられており、この導通用板バネ１５と充電池６とは導通している。正面側キャビネット３と背面側キャビネット４とを結合するときに、背面側キャビネット４の裏面の回路パターン１１に導通用板バネ１５が弾性力を利用して当接するようになっている。このことで、結果として板金１４の電流が充電池６に流れるようになっている。
【００１７】
このように、本実施形態では、背面側キャビネット４の表面及び裏面に直接回路パターンを形成するので、樹脂成形品などの別部品を必要とせず、また、回路パターン１１自体のパターニングの自由度が高いので、充電端子１０を設ける箇所の自由度が高く、筐体の薄型化を図れる。さらに、露出した板金１４に充電用のプラグ等を接触させればよいので、回路パターン１１が痛まず、また、板金１４部分が露出しているだけなので、外観もよい。
【００１８】
したがって、本実施形態にかかる電子機器によると、大型化を防ぎながら、充電端子１０の設置位置の自由度を上げた外観のよい携帯電話機１を得ることができる。
【００１９】
−変形例−
図６は本発明の実施形態の変形例の携帯電話機１０１を示し、板金１１４の構成が異なる点で上記実施形態と異なる。なお、本変形例では、図１〜図５と同じ部分については同じ符号を付してその詳細な説明は省略する。
【００２０】
すなわち、本変形例では、正面側キャビネット１０３が露出用開口３ａを有さず、一対の板金１１４は、背面側キャビネット１０４を覆うカバー１０５にインサート成形されている。一対の板金１１４は、それぞれ表面側に露出する露出部１１４ａと、裏面側へ延びる接地部１１４ｂとを有する。そして、カバー１０５で背面側キャビネット１０４を覆ったときに接地部１１４ｂが背面側キャビネット１０４の表面の回路パターン１１に当接して電気的に接続されるようになっている。
【００２１】
このように、カバー１０５に板金１１４がインサート成形されているので、板金１１４を組み付ける作業が不要で組立が容易である。また、板金１１４を導通用板バネ１５の真上にインサート成形すれば、回路パターン１１の面積を小さくすることができる。
【００２２】
なお、板金１１４は、ゴムパッキン８による防水領域外に設けられているので、インサート成形など防水構造である必要はなく、別部品の板金１１４を嵌め込むようにしてもよい。
【００２３】
（その他の実施形態）
本発明は、上記実施形態について、以下のような構成としてもよい。
【００２４】
すなわち、上記実施形態では、充電端子１０を携帯電話機１の左側面に設けたが、充電端子１０の設計自由度が高いので、右側面、上下側面、背面のいずれに設けることもできる。
【００２５】
また、上記実施形態では、回路基板７に設けた導通用板バネ１５を背面側キャビネット４の裏面の回路パターン１１に導通させているが、回路パターン１１に導通する導通用板バネ１５を充電池６の充電端子に直接導通させるようにしてもよい。
【００２６】
上記実施形態では、電子機器は、携帯電話機１としたが、ＰＨＳ（Personal Handy-phone System ）、ＰＤＡ(Personal DigitalAssistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００２７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２８】
１，１０１      携帯電話機（電子機器）
２      表示部
３，１０３      正面側キャビネット（筐体）
３ａ    露出用開口
４，１０４      背面側キャビネット（筐体、キャビネット）
５，１０５      リアカバー（筐体）
６      充電池
７      回路基板
８      ゴムパッキン
１０      充電端子
１１      回路パターン
１２      貫通孔
１３      封止部材
１４，１１４      板金
１４ａ    突起
１４ｂ    折曲部
１１４ａ    露出部
１１４ｂ    接地部
１５      導通用板バネ
【図１】
2015053647.tif 000003
【図２】
2015053647.tif 000004
【図３】
2015053647.tif 000005
【図４】
2015053647.tif 000006
【図５】
2015053647.tif 000007
【図６】
2015053647.tif 000008